(57)【特許請求の範囲】
【請求項１】
水平部（２）と、水平部（２）の後端から上方へ立ち上げた垂直部（３）と、水平部（２）上で垂直部（３）に寄せて配置した断面正方形で直方体のブロック（４）とからなり、ブロック（４）から垂直部（３）へと貫通するねじ穴（５）をあけ、ブロック（４）の両側面の中心から内側へとねじ穴（６）をそれぞれあけた固定片（１）と、固定片（１）のブロック（４）がちょうどはまるくぼみ（８）を後方かつ下方から設けてくぼみ（８）にブロック（４）をはめたときブロック（４）のねじ穴（６）と一致する位置において両側面からくぼみ（８）へと貫通するねじ穴（９）をそれぞれあけ、前方部上端に手摺棒を取り付ける取付座（１０）を設けた取付片（７）とからなる手摺ブラケット。
【発明の詳細な説明】
【０００１】
【発明の属する技術分野】
本発明は、階段・廊下等に手摺を取り付けるためのブラケットに関するものである。
【０００２】
【従来の技術】
これまで階段・廊下等に手摺を取り付けるには、例えば次のようにしていた。すなわち、ブラケットの後端につばを設け、つばから壁面等へとねじをねじ込んで複数のブラケットを間隔をあけて壁面等に取り付け、各ブラケットの先端に手摺棒を取り付けていた。
【０００３】
【発明が解決しようとする課題】
このようなやり方では、ブラケットのつばからねじ込んだねじの頭が露出し、見掛けを悪くしていた。
【０００４】
本発明が解決しようとする課題は、ブラケットからねじ込んだねじの頭が目立たないようにした手摺ブラケットを提供する点にある。
【０００５】
【課題を解決するための手段】
本発明に係る手摺ブラケットは、水平部２と、水平部２の後端から上方へ立ち上げた垂直部３と、水平部２上で垂直部３に寄せて配置した断面正方形で直方体のブロック４とからなり、ブロック４から垂直部３へと貫通するねじ穴５をあけ、ブロック４の両側面の中心から内側へとねじ穴６をそれぞれあけた固定片１と、固定片１のブロック４がちょうどはまるくぼみ８を後方かつ下方から設けてくぼみ８にブロック４をはめたときブロック４のねじ穴６と一致する位置において両側面からくぼみ８へと貫通するねじ穴９をそれぞれあけ、前方部上端に手摺棒を取り付ける取付座１０を設けた取付片７とからなるものである。
【０００６】
この手摺ブラケットは次のようにして使用する。まず、取付け箇所において所定の角度にして壁面等に固定片１を当て、ブロック４の各ねじ穴５にそれぞれねじ１２を通し先端を壁面等にねじ込んで固定片１を固定する。つぎに、取付片７のくぼみ８に固定片１のブロック４をはめた状態にし、両側のねじ穴９からブロック４のねじ穴６へとそれぞれねじ１３をねじ込んで固定片１に取付片７を取り付ける。このようにして所定の位置に所定の角度にして固定片１・取付片７を取り付けていきながら、取付片７の取付座１０上にねじ穴１１を利用して手摺棒を取り付けていく。なお、ブロック４は断面正方形の直方体にし両側面からのねじ穴６は正方形の中心にあけている。このため、ブロック４に対し９０度異なる２方向にして取付片７を取り付けることができる。したがって、取付片７をいろいろな角度にして取り付けることができる。
【０００７】
【発明の実施の形態】
本発明に係る手摺ブラケットは、水平部２と、水平部２の後端から上方へ立ち上げた垂直部３と、水平部２上で垂直部３に寄せて配置した断面正方形で直方体のブロック４とからなり、ブロック４から垂直部３へと貫通するねじ穴５をあけ、ブロック４の両側面の中心から内側へとねじ穴６をそれぞれあけた固定片１と、固定片１のブロック４がちょうどはまるくぼみ８を後方かつ下方から設けてくぼみ８にブロック４をはめたときブロック４のねじ穴６と一致する位置において両側面からくぼみ８へと貫通するねじ穴９をそれぞれあけ、前方部上端に手摺棒を取り付ける取付座１０を設けた取付片７とからなるものである。
【０００８】
【実施例】
本発明の１実施例を図１〜図５に基づいて説明する。図２の右側に示したのは固定片１であり、上図は平面図、下図は正面図である。固定片１は、水平に配置した水平部２と、水平部２の後端から上方へ垂直に立ち上げた垂直部３と、垂直部３に寄せて水平部２上に配置した断面正方形で直方体のブロック４とからなるものとしている。ブロック４は、水平部２の幅よりやや狭い幅とし垂直部３の高さよりやや低い高さとしている。ブロック４から垂直部３へと貫通する３本のねじ穴５を間隔をあけ高度差も設けて水平にそれぞれあけている。ブロック４の両側面は正方形としているが、正方形の中心から内側へ向けねじ穴６をそれぞれあけている。ブロック４は別体のものにして水平部２上に取り付けるようにしてもよいし、水平部２等と一体に設けてもよい。
【０００９】
図２の左側に示したのは取付片７であり、上図は平面図、下図は正面図である。取付片７の後半部分はほぼブロック状に形成し、固定片１の水平部２の幅及び垂直部３の高さとほぼ同じ幅及び高さとし、水平部２・垂直部３の長さよりやや短い長さとしている。固定片１のブロック４がちょうどはまるくぼみ８を後方かつ下方から設けている。そして、ブロック４をくぼみ８へはめたときにブロック４のねじ穴６と一致する位置において、両側面からくぼみ８へと貫通するねじ穴９をそれぞれあけている。取付片７の前半部分は前方上方へやや持ち上げ、上面は弓なりにやや湾曲する取付座１０としている。取付座１０は固定片１・取付片７の長さより長いほぼ方形のものとし、両端寄りに二つずつのねじ穴１１を上下方向にあけている
【００１０】
以上のものは次のようにして使用する。まず、取付け箇所において所定の角度にして壁面等に固定片１を当て、ブロック４の各ねじ穴５にそれぞれねじ１２を通し先端を壁面等にねじ込んで固定片１を固定する。つぎに、取付片７のくぼみ８に固定片１のブロック４をはめた状態にし、両側のねじ穴９からブロック４のねじ穴６へとそれぞれねじ１３をねじ込んで固定片１に取付片７を取り付ける。取付けが終わった状態は図１が示している。図１の右図は平面図及び正面図、左図は左側面図である。このようにして所定の位置に所定の角度にして固定片１・取付片７を取り付けていきながら、取付片７の取付座１０上にねじ穴１１を利用して手摺棒を取り付けていく。
【００１１】
以上のものは、図３に示すようにして、図１に示したのとは左右対称となった壁面等にも取り付けることもできる。また、ブロック４は断面正方形の直方体にし両側面からのねじ穴６は正方形の中心にあけているので、ブロック４に対し図１に示したのとは直交方向にして取付片７を取り付けることができる。このため、いろいろな状況にある壁面等に対し図４や図５に示すようにして取り付けることもできる。
【００１２】
【発明の効果】
本発明に係る手摺ブラケットを使用するときは、固定片１に対し取付片７を取り付けるねじ１３の頭は取付片７の側面にあって目立たない。また、この手摺ブラケットはいろいろな状況にある壁面等に対しいろいろな角度にして取り付けることもできる。
【図面の簡単な説明】
【図１】図２のものを組み立てたものの平面図、正面図及び左側面図である。
【図２】本発明の１実施例の二つの構成部品を示す平面図及び正面図である。
【図３】図１に示した手摺ブラケットの別の取付例を示す正面図である。
【図４】図１に示した手摺ブラケットの更に別の取付例を示す正面図である。
【図５】図１に示した手摺ブラケットの更に別の取付例を示す正面図である。
【符号の説明】
１  固定片
２  水平部
３  垂直部
４  ブロック
５  ねじ穴
６  ねじ穴
７  取付片
８  くぼみ
９  ねじ穴
１０  取付座
【図１】
0003656158.tif 000002
【図２】
0003656158.tif 000003
【図３】
0003656158.tif 000004
【図４】
0003656158.tif 000005
【図５】
0003656158.tif 000006